(57)【要約】【課題】既設フレームにガイドレールを設置することなく、コンベアユニットを既設フレーム内の所定の収納位置まで安全に、かつ容易に移動させることを可能にする乗客コンベアの改造方法の提供。【解決手段】既設フレーム１の上面にガイドレールを取り付けることなく、既設フレーム１の上面１ａを利用して、新設コンベアユニット３を、既設フレーム１内の所定の位置に移動させて、順次組み付けることができるので、改造工期の短縮及び改造コストの低減化が図られる。既設フレームの上面部１ａ近傍に残部材１ｂがあっても干渉しにくいので、つば付走行ローラの損壊を防止して安全に、かつ容易に既設フレーム内の所定の収納位置まで移動させることが可能となる。【選択図】図１
2010070313.tif 000002
【特許請求の範囲】
【請求項１】
既設乗客コンベアのうち既設フレームを残して、既設乗客コンベアを取り除き、無端状に配されて移動するステップ、このステップ及びこのステップと同期して移動するハンドレールを駆動する駆動装置及び前記ステップを案内するレールを含んだ各種の部品が装着された新しい乗客コンベアを、前記既設フレームの長手方向に複数個のコンベアユニットに分割し、その各コンベアユニットを前記既設フレームの長手方向に沿って前記既設フレーム内の所定の収納位置まで移動させて順次組み付けることで、前記既設フレームに前記新しい乗客コンベアを収納設置する乗客コンベアの改造方法において、
前記各コンベアユニットに、前記既設フレームの上面に当接して回転するローラ部と、このローラ部の端縁部に設けられ前記既設フレームの長手方向に直交する方向への変位を規制するつば部と、このつば部と前記ローラ部との間に延設されるテーパ部とを有して構成したつば付走行ローラを取付けた後、このつば付走行ローラのローラ部を前記既設フレームの上面で転動させることにより、前記各コンベアユニットを前記既設フレーム内の所定の収納位置まで移動させて順次組み付けることで、前記既設フレーム内に前記新しい乗客コンベアを収納設置するようにしたことを特徴とする乗客コンベアの改造方法。
【請求項２】
請求項１に記載の発明において、
前記つば付走行ローラは、前記既設フレームの方向に押圧される押圧力付与手段を有して構成し、前記既設フレームの方向に押圧されながら前記既設フレームの上面を転動することを特徴とする乗客コンベアの改造方法。
【請求項３】
請求項１または２に記載の発明において、
前記既設フレームの上面に取り外し可能で且つ前記ローラ部とつば部との間の段差より大きな高さ寸法を有するスロープ部材を取付け、このスロープ部材上を前記つば付走行ローラは転動させるようにしたことを特徴とする乗客コンベアの改造方法。
【発明の詳細な説明】
【技術分野】
【０００１】
本発明は、エスカレーターや動く歩道などの乗客コンベアの改造方法に関する。
【背景技術】
【０００２】
従来、乗客コンベアの改造方法としては、既設の乗客コンベアのうち既設フレームを残して、既設の乗客コンベアを取り除き、その既設フレームの上面にガイドレールを取り付けるとともに、無端状に配されて移動するステップ、このステップと同期して移動するハンドレール、前記ステップ及び前記ハンドレールを駆動する駆動装置、前記ステップの両端に直立する欄干及び前記ステップを案内するレールを含んだ各種の部品が装着された新しい乗客コンベアを、既設フレームの長手方向に複数個のコンベアユニットに分割し、これら各コンベアユニットに、既設フレームの上面に取り付けたガイドレールに沿って走行移動する走行ローラを取り付けことにより、前記コンベアユニットを前記既設フレームの長手方向に沿って前記既設フレーム内の所定の収納位置まで移動させて順次組み付けることで、前記既設フレームに前記新しい乗客コンベアを収納設置するようにしたものが知られていた（例えば、特許文献１参照）。
【特許文献１】特開平３−１３８２９４号公報
【発明の開示】
【発明が解決しようとする課題】
【０００３】
しかしながら、上述した特開平３−１３８２９４号公報に記載された乗客コンベアの改造方法では、既設フレームの長手方向の略全幅に亘って上面にガイドレールを設ける必要があり、乗客コンベアの改造工期が長くなってしまうとともに、改造コストが大幅にアップしてしまうという問題があった。
【０００４】
また、上述した従来技術では左右方向を押える手段が無いため、新設コンベアユニット走行移動時に左右にずれてしまい、新設コンベアユニットが既設フレームに衝突し壊れるばかりでなく、最悪脱輪して作業者を傷つけるような事故につながる危険性がある。
【０００５】
本発明は、上述した従来技術における実状からなされたもので、その目的は、既設フレームにガイドレールを設置することなく、コンベアユニットを既設フレーム内の所定の収納位置まで安全に、かつ容易に移動させることを可能にする乗客コンベアの改造方法を提供することにある。
【課題を解決するための手段】
【０００６】
上記目的を達成するために、本発明は、既設乗客コンベアのうち既設フレームを残して、既設乗客コンベアを取り除き、無端状に配されて移動するステップ、このステップ及びこのステップと同期して移動するハンドレールを駆動する駆動装置及び前記ステップを案内するレールを含んだ各種の部品が装着された新しい乗客コンベアを、前記既設フレームの長手方向に複数個のコンベアユニットに分割し、その各コンベアユニットを前記既設フレームの長手方向に沿って前記既設フレーム内の所定の収納位置まで移動させて順次組み付けることで、前記既設フレームに前記新しい乗客コンベアを収納設置する乗客コンベアの改造方法において、前記各コンベアユニットに、前記既設フレームの上面に当接して回転するローラ部と、このローラ部の端縁部に設けられ前記既設フレームの長手方向に直交する方向への変位を規制するつば部と、このつば部と前記ローラ部との間に延設されるテーパ部とを有して構成したつば付走行ローラを取付けた後、このつば付走行ローラのローラ部を前記既設フレームの上面で転動させることにより、前記各コンベアユニットを前記既設フレーム内の所定の収納位置まで移動させて順次組み付けることで、前記既設フレーム内に前記新しい乗客コンベアを収納設置するようにしたことを特徴とする。
【０００７】
また本発明は、前記発明において、前記つば付走行ローラは、前記既設フレームの方向に押圧される押圧力付与手段を有して構成し、前記既設フレームの方向に押圧されながら前記既設フレームの上面を転動することを特徴とする。
【０００８】
さらに本発明は、前記発明において、前記既設フレームの上面に取外し可能で且つ前記ローラ部とつば部との間の段差より大きな高さ寸法を有するスロープ部材を取付け、このスロープ部材上を前記つば付走行ローラは転動させるようにしたことを特徴とする。
【発明の効果】
【０００９】
本発明によれば、既設フレームに新たにガイドレールを設置することなく、既設フレームの上面をつば部によって左右方向(前記既設フレームの長手方向に直交する方向)のずれを規制したつば付き走行ローラによって、各コンベアユニットを、安全に、かつ容易に既設フレーム内の所定の収納位置まで移動させることが可能となる。
【００１０】
また本発明によれば、つば付走行ローラにテーパ部を設けたため、既設フレームの上面部近傍に残部材があっても干渉しにくいので、つば付走行ローラの損壊を防止して安全に、かつ容易に既設フレーム内の所定の収納位置まで移動させることが可能となる。
【発明を実施するための最良の形態】
【００１１】
以下、本発明に係る乗客コンベアの改造を実施するための最良の形態を図に基づいて説明する。
【００１２】
本発明の第１実施形態に係る乗客コンベアの改造方法について図１，２を用いて説明する。図１は本発明に係る乗客コンベアの改造方法の第１実施形態における、新設コンベアユニットを既設フレームに収納する手順を説明するための斜視図、図２は本発明に係る乗客コンベアの改造方法の第１の実施形態におけるつば付走行ローラの正面図である。
【００１３】
始めに、既設乗客コンベアをトラス構造からなる既設フレーム１のみを残した状態とし、他の部品をすべて撤去する。その場合、既設フレーム１の上弦部材１ａの側面に補強のために連結した補強部材が取り付けられていれば、その補強部材を取り除いておく。
【００１４】
次に、予め製作工場などにて複数に分割した新設コンベアユニット３を改造現場に搬入し、この新設コンベアユニット３に、少なくとも二対以上のつば付走行ローラ６を、取付けブラケット９および取付けボルト６ａを介して取付ける。
【００１５】
ここで、つば付走行ローラ６は、既設フレーム１の上面に当接して回転するローラ部７と、このローラ部７の端縁部に設けられ既設フレーム１の長手方向に直交する方向への変位を規制するつば部７ａと、このつば部７ａと前記ローラ部７との間に延設されるテーパ部７ｃと、ローラ部７とつば部７ａとを取付けブラケット９に固定されたローラ軸８へ回転可能に、しかも既設フレーム１の長手方向に直交する方向への変位可能にローラ移動量Ｓの隙間をもたせて取付けてある。
【００１６】
次に、既設フレーム１上部に据付雇い２を取付け、強固なチェーンやロープ等の索状体２ａにて、据付雇い２と新設コンベアユニット３を接続する。
【００１７】
その後、既設フレーム上面１ａ上につば付走行ローラ６のローラ部７が当接するように位置を調整し、つば部７ａで既設フレーム１の長手方向に直交する方向への変位を規制するようガイドさせながら新設コンベアユニット３をおろしていく。
【００１８】
同様に、他の新設コンベアユニット３を順次おろしていき、最後につば付走行ローラ６を取外し、新設コンベアユニット３同士を接続することで据付が完了する。
【００１９】
なお、図１では上方より新設コンベアユニット３をおろしているが、下方より引き上げても良い。
【００２０】
このように構成した第１実施形態によれば、既設フレーム１の上面にガイドレールを取り付けることなく、既設フレーム１の上面１ａを利用して、新設コンベアユニット３を、既設フレーム１内の所定の位置に移動させて、順次組み付けることができるので、改造工期の短縮及び改造コストの低減化が図られる。
【００２１】
さらに、つば付走行ローラ６が移動できる構成としているので、既設フレーム１の上面１ａ間の距離が変化しても、既設フレーム１に追従しスムーズに走行するので効率よく作業することが出来る。
【００２２】
さらに、新設コンベアユニット３が左右に大きく蛇行した場合でも、つば付走行ローラ６につば部７ａを設けているので、左右方向(既設フレーム１の長手方向に直交する方向)の移動量を制限し、脱落してしまうことを阻止できるので、安全に作業を行うことができる。
【００２３】
前述した通り、既設フレーム１の上弦部材１ａに取り付いていた補強部材を取り除いているが、切断不可能な残部材１ｂは除去できない。そこで本実施形態によれば、つば付走行ローラ６にテーパ部７ｃを設けた。よって既設フレームの上面部１ａ近傍に残部材１ｂがあっても干渉しにくいので、つば付走行ローラの損壊を防止して安全に、かつ容易に既設フレーム内の所定の収納位置まで移動させることが可能となる。
【００２４】
さらにテーパ部７ｃが残部材１ｂに干渉したとしても、ローラ移動量Ｓの範囲でローラ部７とつば部７ａとを、図２中の実線と破線との間で変位可能としたので、実線の位置に変位すれば、残部材１ｂを回避可能であり、つば付走行ローラ６の損壊を防止して安全に、かつ容易に既設フレーム１内の所定の収納位置までコンベアユニット３を移動させることが可能となる。
【００２５】
次に、本発明の第２実施形態の構成を図３により説明する。図３は本発明に係る乗客コンベアの改造方法の第２の実施形態におけるつば付走行ローラの正面図である。
【００２６】
この第２実施形態のつば付走行ローラ６は、前記既設フレーム１の方向にローラ部７とつば部７ａと押圧するばね部からなる押圧力付与手段１５を設けて構成したため、前記既設フレーム１の方向に、ローラ部７とつば部７ａとが押圧されながら前記既設フレーム１の上面１ａ上を転動するよう構成している。
【００２７】
従って前述のつば付走行ローラ６と同様に、テーパ部７ｃが残部材１ｂに干渉したとしても、ローラ移動量Ｓの範囲で変位すれば、残部材１ｂを回避可能であり、つば付走行ローラ６の損壊を防止して安全に、かつ容易に既設フレーム１内の所定の収納位置までコンベアユニット３を移動させることが可能となる。
【００２８】
さらに残部材１ｂを回避後は、ばね部１５により押圧されて、回避前の位置へ戻るためコンベアユニット３の左右方向(既設フレーム１の長手方向に直交する方向)の移動量を確実に制限することができ、安全に効率よく作業することが出来る。
【００２９】
この第２実施形態の押圧力付与手段１５は、ばねに限らず、押圧力を付与できるものであれば油圧ダンパーなど他の部材でも同等の効果を得られる。
【００３０】
次に、本発明の第３実施形態の構成を図４，５により説明する。図４は本発明に係る乗客コンベアの改造方法の第３の実施形態におけるスロープ部の取付け状態を示す斜視図、図５は本発明に係る乗客コンベアの改造の第３の実施形態におけるつば付走行ローラの正面図である。
【００３１】
本発明の第１実施形態で説明したように、既設フレーム１の上面１ａに取り付いていた補強部材を取り除く作業があるが、切断不可能な残部材１ｂが残ってしまう。この状態で、既設フレーム１上を走行してきたつば付走行ローラ６は残部材１ｂに接触するため、乗り上げて通過しなければない。しかし、コンベアユニット３は重量物であるために乗り上げるのには相当の力が必要であり、つば付走行ローラ６も相当な強度が必要となってしまう。
【００３２】
そこで、本発明の第３実施形態は、残部材１ｂ付近の既設フレーム１の上面１ａに取外し可能で且つ前記ローラ部６とつば部７ａとの間の段差Ｈ２より大きな高さ寸法Ｈ１を有するスロープ部材１０をスロープ部材取付けボルト１１、ナット１２を介して取付け、このスロープ部材１０上を前記つば付走行ローラ６を転動させるようにした。
【００３３】
このように構成した第３実施形態によれば、つば付走行ローラ６が残部材１ｂを通過する際、スロープ部材１０上を走行するため、上弦部材出張り部１ｂと接触することなくスムーズに走行するので効率よく作業することが出来る。
【図面の簡単な説明】
【００３４】
【図１】本発明に係る乗客コンベアの改造方法の第１実施形態における、新設コンベアユニットを既設フレームに収納する手順を説明するための斜視図である。
【図２】本発明に係る乗客コンベアの改造方法の第１の実施形態におけるつば付走行ローラの正面図である。
【図３】本発明に係る乗客コンベアの改造方法の第２の実施形態におけるつば付走行ローラの正面図である。
【図４】本発明に係る乗客コンベアの改造方法の第３の実施形態におけるスロープ部の取付け状態を示す斜視図である。
【図５】本発明に係る乗客コンベアの改造の第３の実施形態におけるつば付走行ローラの正面図である。
【符号の説明】
【００３５】
１    既設フレーム
１ａ  既設フレーム上面
１ｂ  既設フレーム残部材
２    据付雇い
３    新設コンベアユニット
６    つば付走行ローラ
６ａ  ローラ取付けボルト
７    ローラ部
７ａ  つば部
７ｃ  つばテーパ部
８    ローラ軸
９    取付けブラケット
１０  スロープ部材
１１  スロープ部材取付けボルト
１２  スロープ部材取付けナット
１５  押圧力付与手段
Ｈ１  スロープ部材高さ寸法
Ｈ２  つば部高さ寸法
Ｓ    ローラ移動量
【図１】
2010070313.tif 000003
【図２】
2010070313.tif 000004
【図３】
2010070313.tif 000005
【図４】
2010070313.tif 000006
【図５】
2010070313.tif 000007